(57)【要約】【課題】身体内外の任意の部位をマッサージするときに身体表面の比較的便利なマッサージポイントを選択してマッサージを行うことにより高いマッサージ効果を得ることが可能なマッサージ装置を提供する。【解決手段】マッサージ装置は、制御回路１１を含む制御ユニット１と、マッサージ装置の電源を提供する電力ユニット２と、マッサージ本体３とを少なくとも備える。マッサージ本体３は、所定ルートＰに沿って間隔をおいて配列された複数の基準点３１と、複数の基準点３１それぞれの両側に配置された複数のマッサージユニット３２とを含み、マッサージユニット３２のそれぞれは、制御回路１１および電力ユニット２と電気的に接続されている。【選択図】図１
0003148916.tif 000002
【実用新案登録請求の範囲】
【請求項１】
マッサージ装置であって、制御回路を含む制御ユニットと、マッサージ装置の電源を提供する電力ユニットと、マッサージ本体と、を少なくとも備え、
前記マッサージ本体は、所定ルートに沿って間隔をおいて配列された複数の基準点と、前記複数の基準点それぞれの両側に配置された複数のマッサージユニットと、を含み、前記マッサージユニットのそれぞれは、前記制御回路および前記電力ユニットと電気的に接続されていることを特徴とする、マッサージ装置。
【請求項２】
同一の前記基準点の両側に配置された前記マッサージユニットは、前記基準点を中心に八の字状に形成された移動ルートを有することを特徴とする、請求項１に記載のマッサージ装置。
【請求項３】
前記所定ルートは直線状であることを特徴とする、請求項１に記載のマッサージ装置。
【請求項４】
前記マッサージユニットのそれぞれは、仮想のマッサージ面に沿って移動しながら異なる高さで起伏することを特徴とする、請求項１に記載のマッサージ装置。
【請求項５】
前記制御回路の指令を基に、前記マッサージユニットのそれぞれを移動ルートで往復移動させることを特徴とする、請求項１に記載のマッサージ装置。
【請求項６】
前記マッサージユニットのそれぞれは、動作開始時間が乱数形態であることを特徴とする、請求項１に記載のマッサージ装置。
【請求項７】
前記マッサージユニットのそれぞれは、同期で動作し、前記基準点の位置に応じて順番に動作したり定点動作したりすることを特徴とする、請求項１に記載のマッサージ装置。
【請求項８】
前記マッサージユニットのそれぞれは、等速移動するように設定したり、必要に応じて非等速移動するように設定したりし、前記基準点から離れるときは仮想のマッサージ面に接触しながらゆっくり移動し、前記基準点に近づくときは前記仮想のマッサージ面から離れながら高速で移動することを特徴とする、請求項１に記載のマッサージ装置。
【請求項９】
身体局部または全身に用いることが可能な電動マッサージ装置であることを特徴とする、請求項１に記載のマッサージ装置。
【請求項１０】
着座用、横臥用もしくは着座横臥両用または携帯用の電動マッサージ装置であることを特徴とする、請求項１に記載のマッサージ装置。
【考案の詳細な説明】
【技術分野】
【０００１】
本考案は、マッサージ装置に係り、特に身体局部または全身をマッサージすることが可能な、着座用、横臥用もしくは着座横臥両用または携帯用の電動マッサージ装置に関する。
【背景技術】
【０００２】
現在の工商業社会の環境では、皆仕事に忙しく運動不足となるため、器材を利用して運動不足を補い、身体の緊張をほぐすと共に身体の機能を高める必要がある。器材のなかでもマッサージ装置はよく利用される器材の一つである。
【０００３】
既知のマッサージの形態としては、（１）特定部分の筋肉を揉みほぐして緊張を和らげる方式と、（２）経絡ツボなどの特定の部位を刺激し、身体機能を高める方式とがあった。（１）の方式では、緊張を和らげることが主な目的であるのに対し、（２）の方式では、身体機能を高めることと緊張を和らげることとの２つの効果があった。しかし、身体機能を高めることと緊張を和らげることとの異なる要求に応じて、異なるマッサージ効果を提供することは困難であった。そのため、従来のマッサージ装置では、身体機能を高める機能と緊張を和らげる機能との両方を同時または別々に提供し、ユーザが使用する際に異なるマッサージ機能を提供することは困難であった。
【０００４】
さらに、（１）の方式では、筋肉の部位にしか効果が無く、揉むことが出来ない部位、さらには内蔵には効果を与えることができなかった。（２）の方式では、経絡ツボの分布が複雑である上にその位置を正確に知る必要があったため、装置を利用して効果を与えることができる部位には限界があった。そのため、従来のマッサージ装置は、作用が局所的であった。
【０００５】
ユーザにとって「多機能」（即ち、身体機能を高める機能と緊張を和らげる機能の２つの機能を同時に提供する）かつ「普遍性」（即ち、上述の局部的な作用効果と相対するもの）を有する新しいマッサージ装置は、実用的価値が高い。当然、現在ある技術により新しいタイプのマッサージ装置を製作することは不可能ではないが、コストが高すぎて操作方法も複雑となるため、人々に受け入れられない可能性があった。そのため、低コストで操作が簡便な上に、従来のマッサージ装置に類似したマッサージ装置が求められていた。
【０００６】
従来のマッサージ装置は、上述の「普遍性」、「多機能」、「低コスト」および「簡便性」を兼備えていなかったため、それらのマッサージ原理によりユーザを満足させることはできなかった。そのため、根本的に「普遍性」、「多機能性」、「低コスト」および「簡便性」のニーズを満足させることが可能なマッサージ装置が求められていた。
【０００７】
本考案者は、中国医学の新たな学問である「全息医学」および世界的に広く応用されている「整脊」理論を参考に、総合的に帰納させてマッサージの原理を考え出し、神経マッサージ方法の基礎とした。以下、それについて簡単に述べる。
【０００８】
マッサージ装置の最も得意とするのは背中に行うマッサージである。脊椎は神経が集中して通っている箇所であるため、背中をマッサージすると、主に脊椎の神経を刺激することができる。また、身体の背中以外の部位は、背中ほど重要でなく神経が集中していないだけであり、やはりマッサージにより神経を刺激する効果を得ることができる。ここでは、脊椎を主に説明しているが、当然、身体の他の部位にも応用することができる。
【０００９】
本考案は、身体内外の任意の部位をマッサージする場合、身体表面の比較的便利なマッサージポイントを選択してマッサージを行うだけで、マッサージ効果を得ることができる。その最も大きな違いは、効果の強弱とそれに必要な時間の長さが異なるという点だけである。
【考案の開示】
【考案が解決しようとする課題】
【００１０】
本考案の目的は、「普遍性」、「多機能性」、「低コスト」および「簡便性」を提供することにより、身体内外の任意の部位をマッサージするときに、身体表面の比較的便利なマッサージポイントを選択してマッサージを行うことにより高いマッサージ効果を得ることができるマッサージ装置を提供することにある。
【課題を解決するための手段】
【００１１】
第１の考案は、マッサージ装置であって、制御回路を含む制御ユニットと、マッサージ装置の電源を提供する電力ユニットと、マッサージ本体と、を少なくとも備え、前記マッサージ本体は、所定ルートに沿って間隔をおいて配列された複数の基準点と、前記複数の基準点それぞれの両側に配置された複数のマッサージユニットとを含み、前記マッサージユニットのそれぞれは、前記制御回路および前記電力ユニットと電気的に接続されていることを特徴とするマッサージ装置である。
【００１２】
第２の考案は、上記第１の考案に記載のマッサージ装置であって、同一の前記基準点の両側に配置された前記マッサージユニットは、前記基準点を中心に八の字状に形成された移動ルートを有することを特徴とするマッサージ装置である。
【００１３】
第３の考案は、上記第１の考案に記載のマッサージ装置であって、前記所定ルートは直線状であることを特徴とするマッサージ装置である。
【００１４】
第４の考案は、上記第１の考案に記載のマッサージ装置であって、前記マッサージユニットのそれぞれは、仮想のマッサージ面に沿って移動しながら異なる高さで起伏することを特徴とするマッサージ装置である。
【００１５】
第５の考案は、上記第１の考案に記載のマッサージ装置であって、前記制御回路の指令を基に、前記マッサージユニットのそれぞれを移動ルートで往復移動させることを特徴とするマッサージ装置である。
【００１６】
第６の考案は、上記第１の考案に記載のマッサージ装置であって、前記マッサージユニットのそれぞれは、動作開始時間が乱数形態であることを特徴とするマッサージ装置である。
【００１７】
第７の考案は、上記第１の考案に記載のマッサージ装置であって、前記マッサージユニットのそれぞれは、同期で動作し、前記基準点の位置に応じて順番に動作したり定点動作したりすることを特徴とするマッサージ装置である。
【００１８】
第８の考案は、上記第１の考案に記載のマッサージ装置であって、前記マッサージユニットのそれぞれは、等速移動するように設定したり、必要に応じて非等速移動するように設定したりし、前記基準点から離れるときは仮想のマッサージ面に接触しながらゆっくり移動し、前記基準点に近づくときは前記仮想のマッサージ面から離れながら高速で移動することを特徴とするマッサージ装置である。
【００１９】
第９の考案は、身体局部または全身に用いることが可能な電動マッサージ装置であることを特徴とするマッサージ装置である。
【００２０】
第１０の考案は、上記第１の考案に記載のマッサージ装置であって、着座用、横臥用もしくは着座横臥両用または携帯用の電動マッサージ装置であることを特徴とするマッサージ装置である。
【考案の効果】
【００２１】
上述したことから分かるように、本考案のマッサージ装置は、「普遍性」、「多機能性」、「低コスト」および「簡便性」を提供することにより、身体内外の任意の部位をマッサージする場合、身体表面の比較的便利なマッサージポイントを選択してマッサージを行うことにより高いマッサージ効果を得ることができる。
【考案を実施するための最良の形態】
【００２２】
以下に、本考案を実施するための最良の形態の実施例について、図面を用いて説明する。
【００２３】
図１〜図３を参照する。本考案の一実施形態によるマッサージ装置は、制御ユニット１、電力ユニット２およびマッサージ本体３を含む。
【００２４】
制御ユニット１は、マッサージ装置のルート動作を制御するために用いる制御回路１１を少なくとも含む。
【００２５】
電力ユニット２は、上述の制御回路１１と接続され、マッサージ装置に電力を供給するために用いられている。
【００２６】
マッサージ本体３は、所定ルートＰに沿って間隔をおいて配列された複数の基準点３１と、各基準点３１の両側に配置された複数のマッサージユニット３２とを含む。所定ルートＰは、直線状であり、マッサージする身体部位に応じてルートを適当に調整することができる。各マッサージユニット３２は、上述の制御回路１１および電力ユニット２と電気的に接続されている。また、同一の基準点３１の両側に配置されたマッサージユニット３２は、基準点３１を中心に徐々に外側へ向かって放射状に拡張し、八の字状に形成された移動ルートＲを有する。各マッサージユニット３２は、仮想のマッサージ面Ｆに沿って移動するに従い、異なる高さで起伏する。マッサージユニット３２の進行方向は、人体に対して力を加える方向と同じであるため、所定のマッサージ効果を得ることができる。
【００２７】
図４を参照する。マッサージユニット３２は、図４の矢印が示す方向で往復移動することにより、移動ルートＲ上を移動して身体のマッサージを行う。
【００２８】
本考案の一実施形態によるマッサージ装置は、制御回路１１の指令により、各マッサージユニット３２が移動ルートＲで往復移動を行う。それぞれのマッサージユニット３２の動作開始時間は乱数形態であり、適時必要に応じて操作することもできる。それぞれのマッサージユニット３２は、同期で動作させたり、必要に応じて基準点３１の位置に基づき、順番に動作させたり定点動作させたりすることもできる。
【００２９】
それぞれのマッサージユニット３２は、等速移動に設定したり、必要に応じて非等速移動に設定したりすることもできる。マッサージユニット３２は、基準点３１から離れるときは、仮想のマッサージ面Ｆに接触しながらゆっくり移動し、基準点３１に近づくときは、仮想のマッサージ面Ｆから離れて高速で移動する。
【００３０】
マッサージルートの起点から終点までマッサージが行われた後、同じマッサージのルートおよび方向でマッサージを繰り返して行う際は、マッサージ装置を人体から離して終点から起点に戻してから人体に再び接触させて同じマッサージを繰り返す。マッサージ装置は、方向が狂ってマッサージ効果が無くならないように、終点から起点に戻る過程では人体に力が加わらないようにする。
【００３１】
別のマッサージのルートまたは方向を選択する際、マッサージ装置を人体から離して新たな起点に移動させてから人体に再び接触させて新たに選択したマッサージを行う。そして、このマッサージ装置は、マッサージの目的が混乱しないように、マッサージ装置を新たな起点に移動させる過程で人体に力が加わらないようにする。
【００３２】
本考案の一実施形態によるマッサージ装置は、身体局部または全身に用いることが可能で、着座用、横臥用、着座横臥両用または携帯用の電動マッサージ装置である。本考案の一実施形態によるマッサージ装置は、身体内外の任意の部位にマッサージを行う場合、身体の表面の比較的便利なマッサージポイントを選択してマッサージを行い、高いマッサージ効果を得ることができる。
【００３３】
図５Ａと図５Ｂを参照する。図５Ａと図５Ｂは、本考案の一実施形態によるマッサージ装置を後頭骨と頸部との間に用いるときの状態を示す模式図である。本実施形態では、基準点３１（図１を参照）を人体の基準点Ａ１に合わせ、基準点Ａ１の内側から外側かつ上方から下方へ（図５Ａの矢印が示す方向）マッサージを行うと、正方向マッサージの身体機能を高める効果を得ることができる。反対に、基準点Ａ１の外側から内側かつ下方から上方へ（図５Ｂの矢印が示す方向）マッサージを行うとき、逆方向マッサージの揉みほぐし効果を得ることができる。
【００３４】
図６Ａと図６Ｂを参照する。図６Ａと図６Ｂは、本考案の一実施形態によるマッサージ装置を背部の脊椎に用いるときの状態を示す模式図である。本実施形態では、マッサージ装置の基準点３１（図１を参照）を人体の基準点Ａ２に合わせる。ただし、図６Ａと図６Ｂは、脊椎部位の最上方の第１の基準点Ａ２のみを示しており、脊椎部位のその他の基準点（第１の基準点Ａ２に沿って、下向きに間隔をおいて配列されている）は、省略されている。各基準点Ａ２の内側から外側かつ上方から下方へ（図６Ａの矢印が示す方向）マッサージを行う場合、正方向マッサージの身体機能を高める効果を得ることができる。反対に、各基準点Ａ２の外側から内側かつ下方から上方へ（図６Ｂの矢印が示す方向）マッサージを行う場合、逆方向マッサージの揉みほぐし効果を得ることができる。
【００３５】
図７Ａと図７Ｂを参照する。図７Ａと図７Ｂは、本考案の一実施形態によるマッサージ装置を腰椎と仙椎の間に用いるときの状態を示す模式図である。本実施形態では、マッサージ装置の基準点３１（図１を参照）を人体の基準点Ａ３に合わせ、基準点Ａ３の内側から外側かつ上方から下方へ（図７Ａの矢印が示す方向）マッサージを行う場合、正方向マッサージの身体機能を高める効果を得ることができる。反対に、基準点Ａ３の外側から内側かつ下方から上方へ（図７Ｂの矢印が示す方向）マッサージを行う場合、逆方向マッサージの揉みほぐし効果を得ることができる。
【００３６】
図８Ａと図８Ｂを参照する。図８Ａと図８Ｂは、本考案の一実施形態によるマッサージ装置を脚部の後側に用いるときの状態を示す模式図である。本実施形態では、マッサージ装置の基準点３１を人体の基準点Ａ４に合わせる。ただし、図８Ａと図８Ｂでは、脚部の後側の最上方の第１の基準点Ａ４のみを示しており、脚部の後側のその他の基準点（第１の基準点Ａ４の下方に間隔をおいて配列されている）は省略されている。各基準点Ａ４の外側から内側かつ上方から下方へ（図８Ａの矢印が示す方向）マッサージを行う場合、正方向マッサージの身体機能を高める効果を得ることができる。反対に、各基準点Ａ４の内側から外側かつ下方から上方へ（図８Ｂの矢印が示す方向）マッサージを行う場合、逆方向マッサージの揉みほぐし効果を得ることができる。
【００３７】
図９Ａと図９Ｂを参照する。図９Ａと図９Ｂは、本考案の一実施形態によるマッサージ装置を足裏に用いるときの状態を示す模式図である。本実施形態では、マッサージ装置の基準点３１を人体の基準点Ａ５に合わせる。ただし、図９Ａと図９Ｂでは、足裏の最下方の第１の基準点Ａ５のみを示しており、足裏のその他の基準点（第１の基準点基準点Ａ５の上方に間隔をおいて配列されている）は、省略されている。各基準点Ａ５の外側から内側かつ上方から下方へ（図９Ａの矢印が示す方向）マッサージを行う場合、正方向マッサージの身体機能を高める効果を得ることができる。反対に、各基準点Ａ５の内側から外側かつ下方から上方へ（図９Ｂの矢印が示す方向）マッサージを行う場合、逆方向マッサージの揉みほぐし効果を得ることができる。
【００３８】
図１０Ａおよび図１０Ｂを参照する。図１０Ａと図１０Ｂは、本考案の一実施形態によるマッサージ装置を腕部内側（掌部を含む）に用いるときの状態を示す模式図である。本実施形態では、マッサージ装置の基準点３１を人体の基準点Ａ６に合わせる。ただし、図１０Ａと図１０Ｂでは、腕部内側の最上方の第１の基準点Ａ６のみを示しており、腕部内側のその他の基準点（第１の基準点Ａ６の下方に間隔をおいて配列されている）は、省略されている。各基準点Ａ６の外側から内側かつ上方から下方へ（図１０Ａの矢印が示す方向）マッサージを行う場合、正方向マッサージの身体機能を高める効果を得ることができる。反対に、各基準点Ａ６の内側から外側かつ下方から上方へ（図１０Ｂの矢印が示す方向）マッサージを行う場合、逆方向マッサージの揉みほぐし効果を得ることができる。
【００３９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００４０】
【図１】本考案の一実施形態によるマッサージ装置を示す平面図である。
【図２】本考案の一実施形態によるマッサージ装置を示す側面図である。
【図３】本考案の一実施形態によるマッサージ装置を使用するときの状態を示す側面図である。
【図４】本考案の一実施形態によるマッサージ装置の動作を示す側面図である。
【図５Ａ】本考案の一実施形態によるマッサージ装置を後頭骨と頸部の間に用いるときの状態を示す模式図である。
【図５Ｂ】本考案の一実施形態によるマッサージ装置を後頭骨と頸部の間に用いるときの状態を示す模式図である。
【図６Ａ】本考案の一実施形態によるマッサージ装置を背部の脊椎に用いるときの状態を示す模式図である。
【図６Ｂ】本考案の一実施形態によるマッサージ装置を背部の脊椎に用いるときの状態を示す模式図である。
【図７Ａ】本考案の一実施形態によるマッサージ装置を腰椎と仙椎の間に用いるときの状態を示す模式図である。
【図７Ｂ】本考案の一実施形態によるマッサージ装置を腰椎と仙椎の間に用いるときの状態を示す模式図である。
【図８Ａ】本考案の一実施形態によるマッサージ装置を脚部の後側に用いるときの状態を示す模式図である。
【図８Ｂ】本考案の一実施形態によるマッサージ装置を脚部の後側に用いるときの状態を示す模式図である。
【図９Ａ】本考案の一実施形態によるマッサージ装置を足裏に用いるときの状態を示す模式図である。
【図９Ｂ】本考案の一実施形態によるマッサージ装置を足裏に用いるときの状態を示す模式図である。
【図１０Ａ】本考案の一実施形態によるマッサージ装置を腕部（掌部を含む）内側に用いるときの状態を示す模式図である。
【図１０Ｂ】本考案の一実施形態によるマッサージ装置が腕部（掌部を含む）内側に用いるときの状態を示す模式図である。
【符号の説明】
【００４１】
１    制御ユニット
２    電力ユニット
３    マッサージ本体
１１  制御回路
３１  基準点
３２  マッサージユニット
Ｐ    所定ルート
Ｒ    移動ルート
Ｆ    マッサージ面
Ａ１  基準点
Ａ２  基準点
Ａ３  基準点
Ａ４  基準点
Ａ５  基準点
Ａ６  基準点
【図１】
0003148916.tif 000003
【図２】
0003148916.tif 000004
【図３】
0003148916.tif 000005
【図４】
0003148916.tif 000006
【図５Ａ】
0003148916.tif 000007
【図５Ｂ】
0003148916.tif 000008
【図６Ａ】
0003148916.tif 000009
【図６Ｂ】
0003148916.tif 000010
【図７Ａ】
0003148916.tif 000011
【図７Ｂ】
0003148916.tif 000012
【図８Ａ】
0003148916.tif 000013
【図８Ｂ】
0003148916.tif 000014
【図９Ａ】
0003148916.tif 000015
【図９Ｂ】
0003148916.tif 000016
【図１０Ａ】
0003148916.tif 000017
【図１０Ｂ】
0003148916.tif 000018